(57)【要約】【課題】従来の折畳み式収納箱に比べ、軽量且つ低コストで誰でも簡単に組立てができ、収納時にも簡単に折畳め、寿命サイクルを長大化させて、資源の無駄使いを防止でき、少ない空間で輸送や保管ができる折畳み式収納箱を提供することを目的とする。【解決手段】外枠２、上下連結部材３、紐４、紐留め具５、製品受け６、支柱７からなり、外枠２はプラスチックダンボールで構成され、上下連結部材３、紐留め具５、製品受け６、支柱７は鉄または鉄合金で構成されている。【選択図】図１
2009196700.tif 000002
【特許請求の範囲】
【請求項１】
外枠の側面に穴が構成されており、穴に紐を通し紐の先端を紐留め具に結び固定し外枠を広げたときに、正確な形状を作れるストッパの役目を果たしている事が特徴の折畳み式収納箱。
【請求項２】
外枠の側面に穴が構成されており、穴に紐を通し、紐の先端を紐留め具に結び固定し外枠を広げる事により仕切りができ、運送中に製品同士がぶつかり損傷するのを防ぐ事が特徴の請求項１に記載の折畳み式収納箱。
【請求項３】
外枠の上部に上下連結部材を設け、上下連結部材の側面部にある溝に製品受けを設置し、製品受けの上に製品を置き収納できる事が特徴の折畳み式収納箱。
【請求項４】
外枠の上部に上下連結部材を設け、上下連結部材の上部にある溝に一方の外枠の底面を溝に挿入する事により収納箱を段積みできる事が特徴の請求項３に記載の折畳み式収納箱。
【発明の詳細な説明】
【技術分野】
【０００１】本発明は製品を収納するための箱を軽量且つ低コストで誰でも簡単に組立てや分解ができ、収納時にも簡単に折畳め、森林資源の無駄使いを防止でき、少ない空間での輸送や保管できる折畳み式収納箱に関する。
【背景技術】
【０００２】従来の折畳み式収納箱はプラスチックなどの合成樹脂でできており、短手辺側の周壁の上縁端部と側壁を支点として側壁を跳ね上げて長手辺側の周壁を外側に展開して畳む構造などが知られている。又、ダンボール等の素材からなるものもあり、折り曲げて蓋体とした折畳み式収納箱も知られている。
【発明の開示】
【発明が解決しようとする課題】
【０００３】上記に述べたように既存の折畳み式収納箱はプラスチックなどの合成樹脂でできており、素材自体のコストがかかる。合成樹脂のため箱自体の重量があり、人での大量の持ち運びが困難である。合成樹脂のため強度は強いが、折畳みの機構部が万が一破損した場合、修理は大変困難である。【０００４】又、箱自体のサイズが決まっているので大きい製品を収納した場合、箱と製品との間に無駄なスペースができ、必要以上の箱の数が必要になり保管時に広いスペースが必要になる。従来の折畳み収納箱では、折畳む事はできても、その多くは底壁の面積を上回る折畳み面積を必要としており、使用しない時の保管する際に空間での効率の点も十分ではない。【０００５】従来、ダンボールからなる折畳み式収納箱は組み立てられて、生産された商品などを収納し販売された後には、不要の廃棄物として捨ててしまう事が多く、資源の無駄使いを招いて環境に悪影響を及ぼしていた。又、一部の倹約家がこれらの収納箱を小物入れ等として再利用するが、殆の空き箱は廃棄物として処理されていた。【０００６】以上の問題点を解決するために、軽量且つ低コストで誰でも簡単に組立てができ、収納時にも簡単に折畳め、寿命サイクルを長大化させて、資源の無駄使いを防止でき、少ない空間で輸送や保管ができる折畳み式収納箱を提供する事を課題とする。
【課題を解決するための手段】
【０００７】上記の目的を達成するために本発明の折畳み式収納箱は図１に示すように、外枠２、上下連結部材３、紐４、紐留め具５、製品受け６、支柱７からなり、外枠２はプラスチックダンボールで形成され、上下連結部材３、紐留め具５、製品受け６、支柱７は鉄または鉄合金で形成されている。図中符号１は折畳み式収納箱を全体に示し、図中符号８はパレットを示す。【０００８】請求項１と請求項２に記載の折畳み式収納箱は、図２に示すように外枠２の一辺の側面に、紐４を通すための穴１０が１０箇所構成されており、外枠２の四辺の側面には合計４０箇所の穴１０が構成されている。本発明である折畳み式収納箱１の外枠２の側面には合計４０箇所の穴１０が構成されているが、外枠２の大きさや収納する製品形状や大きさによって穴１０の数は拘らないとする。【０００９】図３に示すように、外枠２の側面に穴１０が構成されており、穴１０に紐４を通し、紐４の先端を紐留め具５に結び固定をする。紐留め具５は外枠２を広げたときに、正確な形状を作れるストッパの役目を果たしている。紐４は、紐留め具５と共に外枠２を広げたときに、正確な形状を作れるストッパの役目果たす以外に、製品９を入れる仕切りの役目も果たしており、運送中に製品９同士がぶつかり損傷するのを防ぐ目的も果たしている。【００１０】請求項３と請求項４に記載の折畳み式収納箱は、図４に示すように、上下連結部材３は、外枠２の上辺の面に差し込み上下の外枠２を連結するものである。上下連結部材３を使い外枠２を挿入し、本発明折り畳み式収納箱を図８に示すように段積みする事により、多くの製品９を一度に収納する事ができる。上下連結部材３が側面に構成される溝ｃに製品受け６を引っ掛ける事により、製品受け６を保持する事ができる。【００１１】図５に示すように、製品受け６の上に製品９を並べ載せる事により製品９同士に無駄な空間がないので、大量の製品９を収納する事が可能になる。又、製品９同士の無駄な空間を無くす事により製品９を収納するための箱も少なくて済むので少ない空間での保管が可能な事を特徴とする。【００１２】図６は外枠２の折畳み方の模式図であり、製品受け６をａの方向に取り外す事により、外枠２の、四辺の側面同士の接線はｂの方向に可動する事が可能になり、図７に示すように、外枠２は小さく折畳みができる。本発明の折畳み式収納箱１は使用しない時には部材を簡単に分解する事ができ、少ない空間での保管が可能な事も特徴とする。【００１３】又、本発明の折畳み収納箱１は、使用しない時には部材を簡単に分解する事ができるとあるが、上記に述べた構成により、使用時には誰でも簡単に短時間で組立てが可能である。今までのようなダンボール等の素材からなるものは、折り曲げて蓋体とし、形状や強度を保持するための粘着テープ等で固定する手間がなく、合成樹脂等で出来ている折畳み式収納箱に比べ、重量の面でも軽量であり持ち運びの面での負担も少ない。
【発明の効果】
【００１４】上記の、折畳み式収納箱１の最大の利点は、製作される製品の形状や収納する数量に合わせた大きさの折畳み式収納箱を製作できるので、折畳み式収納箱に製品を収納した時に製品同士の無駄な空間がなく、製品を収納することができる。又、本発明の折畳み式収納箱１は上下連結部材３を使う事により、段積みが可能になり、より多くの製品を収納する事が期待できる。【００１５】本発明の、折畳み式収納箱１の折畳みの機構部がプラスチックダンボールで構成されているので、折畳みの機構部が万が一破損した場合、プラスチックなどの合成樹脂で出来ている折畳み式収納箱と比べ、修復時の手間やコストの面でも経済的である事が言える。外枠２がプラスチックダンボールで構成されているので、プラスチックなどの合成樹脂に比べ大変軽量であるので、持ち運びの面での負担も少ない。【００１６】本発明の折畳み式収納箱１は構造が大変簡単なため、誰でも簡単に短時間で組立てができ、使用しない時も同様に簡単に分解する事ができるので、作業能率を大幅に向上させる利点がある。分解した部材も少ない空間での保管ができる。
【発明を実施するための最良の形態】
【００１７】本発明にかかる折畳み式収納箱１の実施の形態を図面に基づいて説明する。図１は折畳み式収納箱の斜視図、図２は折畳み式収納箱の外枠の斜視図、図３は折畳み式収納箱の外枠を広げた状態を示す斜視図である。図４は折畳み式収納箱の上下連結部材の機能を示す説明斜視図、図５は折畳み式収納箱に製品を収納した状態を示す斜視図、図６は折畳み式収納箱を分解し、外枠の動きを示す模式図、図７は折畳み式収納箱の外枠を折畳んだ状態を示す斜視図、図８は折畳み式収納箱を段積みにした状態を示す斜視図であり、図中符号１は折畳み式収納箱を全体に示す。【００１８】図１において、折畳み式収納箱１は外枠２、上下連結部材３、紐４、紐留め具５、製品受け６、支柱７からなり、外枠２はプラスチックダンボールで形成され、上下連結部材３、紐留め具５、製品受け６、支柱７は鉄または鉄合金で形成されている。上下連結部材３、紐留め具５、製品受け６、支柱７は鉄または鉄合金で形成されているとあるが加工が可能であれば材質、形状には拘らないとする。外枠２はプラスチックダンボールで形成されているとあるが、機能を満たすものであれば材質には拘らないとする。紐４は機能を満たすものであれば材質には拘らないとする。【００１９】図２において、外枠２の側面には紐４を通すための穴１０が構成されている。図３において、紐４は紐留め具５と共に外枠２を広げたときに、正確な形状を作れるストッパの役目果たしている。紐４は、製品９を入れる仕切りの役目も果たしており、運送中に製品９同士がぶつかり損傷するのを防ぐ目的も果たしている。図４において、上下連結部材３は外枠２を上下に連結する働きをしており、側面に構成される溝ｃに製品受け６を引っ掛ける事により、製品受け６を保持する事ができる。【００２０】図５において、製品受け６の上に製品９を並べ載せる事により製品９同士に無駄な空間がないので、大量の製品９を収納する事が可能になる。又、製品９同士に無駄な空間を無くす事により製品９を収納するための箱も少なくて済み、少ない空間での保管が可能である。【００２１】図６において、製品受け６をａの方向に取り除くと、外枠２の四辺の側面同士の接線は、ｂの方向に可動する事が可能になり図７のように折畳む事ができる。図８において、上下連結部材３を使い外枠２を挿入し、本発明の折り畳み式収納箱１を段積みする事により、多くの製品９を一度に収納する事ができる。
【図面の簡単な説明】
【００２２】
【図１】は折畳み式収納箱の斜視図である。
【図２】は折畳み式収納箱の外枠の斜視図である。
【図３】は折畳み式収納箱の外枠を広げた状態を示す斜視図である。
【図４】は折畳み式収納箱の上下連結部材の機能を示す説明斜視図である。
【図５】は折畳み式収納箱に製品を収納した状態を示す斜視図である。
【図６】は折畳み式収納箱を分解して、外枠の動きを示す模式図である。
【図７】は折畳み式収納箱の外枠を折畳んだ状態を示す斜視図である。
【図８】は折畳み式収納箱を段積みにした状態を示す斜視図である。
【符号の簡単な説明】
【００２３】１．折畳み式収納箱
２．外枠
３．上下連結部材
４．紐
５．紐留め具
６．製品受け
７．支柱
８．パレット
９．製品
１０．穴
【図１】
2009196700.tif 000003
【図２】
2009196700.tif 000004
【図３】
2009196700.tif 000005
【図４】
2009196700.tif 000006
【図５】
2009196700.tif 000007
【図６】
2009196700.tif 000008
【図７】
2009196700.tif 000009
【図８】
2009196700.tif 000010